【手続補正書】
【提出日】平成29年10月5日(2017.10.5)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、  第１のタイプの第１のデバイスによるアップリンク（ＵＬ）またはダウンリンク（ＤＬ）送信のうちの少なくとも１つで使用するためのダウンリンク制御情報（ＤＣＩ）を送信するためのコンパクトＤＣＩフォーマットを生成することと、ここにおいて、前記コンパクトＤＣＩフォーマットは、第２のタイプの第２のデバイスによって使用される少なくとも１つの標準ＤＣＩフォーマットに対応し、前記少なくとも１つの標準ＤＣＩフォーマットと比較した場合に低減された数のビットを備える、  前記コンパクトＤＣＩフォーマットにしたがって前記ＤＣＩを送信することと  を備え、 前記ＤＣＩは、制限された変調およびコード化スキーム（ＭＣＳ）のためのＤＣＩを備え、前記制限されたＭＣＳは、可能なコード化レートの制限されたセットで直交位相変調（ＱＰＳＫ）のみを備える、  方法。
【請求項２】
前記第１のタイプのデバイスは、前記第２のタイプのデバイスと比較した場合、低下した処理能力を備える、請求項１に記載の方法。
【請求項３】
前記第１のデバイスは、低コストユーザ機器（ＵＥ）を備える、請求項１に記載の方法。
【請求項４】
前記ＤＣＩを生成することは、  リソース割付情報に対して割り付けられるビットを有さない前記ＤＣＩを生成することを備え、前記ＤＣＩは、一度に一人のユーザに対して複数のリソースを割り付ける、請求項１に記載の方法。
【請求項５】
ワイヤレス通信のための方法であって、 第１のタイプの第１のデバイスによるアップリンク（ＵＬ）またはダウンリンク（ＤＬ）送信のうちの少なくとも１つで使用するためのダウンリンク制御情報（ＤＣＩ）を送信するためのコンパクトＤＣＩフォーマットを生成することと、ここにおいて、前記コンパクトＤＣＩフォーマットは、第２のタイプの第２のデバイスによって使用される少なくとも１つの標準ＤＣＩフォーマットに対応し、前記少なくとも１つの標準ＤＣＩフォーマットと比較した場合に低減された数のビットを備える、 前記コンパクトＤＣＩフォーマットにしたがって前記ＤＣＩを送信することと を備え、  前記ＤＣＩは、  リソース割付可能性の制限されたセットのためのＤＣＩを備える、 方法。
【請求項６】
前記ＤＣＩを生成することは、  ハイブリッド自動再送要求（ＨＡＲＱ）プロセスの制限されたセットに対して、前記ＤＣＩを生成することを備える、請求項１に記載の方法。
【請求項７】
前記ＤＣＩは、ＨＡＲＱプロセスのインジケーションが欠けている、請求項６に記載の方法。
【請求項８】
前記ＤＣＩを生成することは、  ＤＣＩフォーマット１Ａと０とを区別するために割り付けられる１ビットを有さない前記ＤＣＩを生成することを備え、前記ＤＣＩフォーマット１Ａおよび０は、異なるサイズを有する、請求項１に記載の方法。
【請求項９】
前記ＤＣＩを生成することは、  前記ＤＣＩに対して、減らされた長さの周期的冗長検査（ＣＲＣ）を生成することを備える、請求項１に記載の方法。
【請求項１０】
前記減らされた長さのＣＲＣを生成することは、  第１の長さのＣＲＣを生成すること、および、前記減らされた長さのＣＲＣを生成するために、前記第１の長さの前記ＣＲＣを切り捨てることを備える、請求項９に記載の方法。
【請求項１１】
前記ＤＣＩを生成することは、  冗長バージョン（ＲＶ）に対して割り付けられるビットを有さない前記ＤＣＩを生成することを備える、請求項１に記載の方法。
【請求項１２】
前記ＤＣＩを生成することは、  サウンディング基準信号（ＳＲＳ）要求に対して割り付けられるビットを有さない前記ＤＣＩを生成することを備える、請求項１に記載の方法。
【請求項１３】
前記ＤＣＩを生成することは、  送信機電力制御（ＴＰＣ）のための減らされたビット幅を有する前記ＤＣＩを生成することを備える、請求項１に記載の方法。
【請求項１４】
前記ＤＣＩを生成することは、  復調基準信号（ＤＭ−ＲＳ）のための減らされたビット幅を有する前記ＤＣＩを生成することを備える、請求項１に記載の方法。
【請求項１５】
ワイヤレス通信のための方法であって、 第１のタイプの第１のデバイスによるアップリンク（ＵＬ）またはダウンリンク（ＤＬ）送信のうちの少なくとも１つで使用するためのダウンリンク制御情報（ＤＣＩ）を送信するためのコンパクトＤＣＩフォーマットを生成することと、ここにおいて、前記コンパクトＤＣＩフォーマットは、第２のタイプの第２のデバイスによって使用される少なくとも１つの標準ＤＣＩフォーマットに対応し、前記少なくとも１つの標準ＤＣＩフォーマットと比較した場合に低減された数のビットを備える、 前記コンパクトＤＣＩフォーマットにしたがって前記ＤＣＩを送信することと を備え、  前記ＤＣＩは、  マルチクラスタフラッグに対して割り付けられる１ビットを有さないＤＣＩを備える、 方法。
【請求項１６】
ワイヤレス通信のための方法であって、 第１のタイプの第１のデバイスによるアップリンク（ＵＬ）またはダウンリンク（ＤＬ）送信のうちの少なくとも１つで使用するためのダウンリンク制御情報（ＤＣＩ）を送信するためのコンパクトＤＣＩフォーマットを生成することと、ここにおいて、前記コンパクトＤＣＩフォーマットは、第２のタイプの第２のデバイスによって使用される少なくとも１つの標準ＤＣＩフォーマットに対応し、前記少なくとも１つの標準ＤＣＩフォーマットと比較した場合に低減された数のビットを備える、 前記コンパクトＤＣＩフォーマットにしたがって前記ＤＣＩを送信することと を備え、  前記ＤＣＩは、  仮想リソースブロック割当に対して割り付けられる１ビットを有さないＤＣＩを備える、 方法。
【請求項１７】
周期的なチャネル状態情報（ＣＳＩ）がサポートされているか否かを決定することと、  周期的なＣＳＩがサポートされていない場合に非周期的なＣＳＩを保持することと、  周期的なＣＳＩがサポートされている場合に非周期的なＣＳＩを取り除くことと  をさらに備える、請求項１に記載の方法。
【請求項１８】
ワイヤレス通信のための方法であって、 第１のタイプの第１のデバイスによるアップリンク（ＵＬ）またはダウンリンク（ＤＬ）送信のうちの少なくとも１つで使用するためのダウンリンク制御情報（ＤＣＩ）を送信するためのコンパクトＤＣＩフォーマットを生成することと、ここにおいて、前記コンパクトＤＣＩフォーマットは、第２のタイプの第２のデバイスによって使用される少なくとも１つの標準ＤＣＩフォーマットに対応し、前記少なくとも１つの標準ＤＣＩフォーマットと比較した場合に低減された数のビットを備える、 前記コンパクトＤＣＩフォーマットにしたがって前記ＤＣＩを送信することと を備え、  前記ＤＣＩは、  周波数ホッピングフラッグに対して割り付けられる１ビットを有さない前記ＤＣＩを備える、 方法。
【請求項１９】
ワイヤレス通信のための方法であって、 第１のタイプの第１のデバイスによるアップリンク（ＵＬ）またはダウンリンク（ＤＬ）送信のうちの少なくとも１つで使用するためのダウンリンク制御情報（ＤＣＩ）を送信するためのコンパクトＤＣＩフォーマットを生成することと、ここにおいて、前記コンパクトＤＣＩフォーマットは、第２のタイプの第２のデバイスによって使用される少なくとも１つの標準ＤＣＩフォーマットに対応し、前記少なくとも１つの標準ＤＣＩフォーマットと比較した場合に低減された数のビットを備える、 前記コンパクトＤＣＩフォーマットにしたがって前記ＤＣＩを送信することと を備え、  前記ＤＣＩは、  ダウンリンク割当インデックス（ＤＡＩ）およびＵＬ割当インデックスに対して割り付けられる１ビットを有さない前記ＤＣＩを備え、ＵＥごとに、ＤＬサブフレームとＵＬサブフレームとの間で１対１のマッピングが維持される、 方法。
【請求項２０】
ワイヤレス通信のための方法であって、 第１のタイプの第１のデバイスによるアップリンク（ＵＬ）またはダウンリンク（ＤＬ）送信のうちの少なくとも１つで使用するためのダウンリンク制御情報（ＤＣＩ）を送信するためのコンパクトＤＣＩフォーマットを生成することと、ここにおいて、前記コンパクトＤＣＩフォーマットは、第２のタイプの第２のデバイスによって使用される少なくとも１つの標準ＤＣＩフォーマットに対応し、前記少なくとも１つの標準ＤＣＩフォーマットと比較した場合に低減された数のビットを備える、 前記コンパクトＤＣＩフォーマットにしたがって前記ＤＣＩを送信することと を備え、前記方法は、  復号候補の制限されたセットから前記ＤＣＩを送信するためのリソースのセットを選択することと、  受信側のＵＥが前記復号候補の制限されたセットに対してブラインド復号を実行することだけ必要となるように、前記リソースの選択されたセットを用いて前記ＤＣＩを送信することと  をさらに備える、方法。
【請求項２１】
ワイヤレス通信のための装置であって、  第１のタイプの第１のデバイスによるアップリンク（ＵＬ）またはダウンリンク（ＤＬ）送信のうちの少なくとも１つで使用するためのダウンリンク制御情報（ＤＣＩ）を送信するためのコンパクトＤＣＩフォーマットを生成するための手段と、ここにおいて、前記コンパクトＤＣＩフォーマットは、第２のタイプの第２のデバイスによって使用される少なくとも１つの標準ＤＣＩフォーマットに対応し、前記少なくとも１つの標準ＤＣＩフォーマットと比較した場合に低減された数のビットを備える、  前記コンパクトＤＣＩフォーマットにしたがって前記ＤＣＩを送信するための手段と  を備え、 前記ＤＣＩは、制限された変調およびコード化スキーム（ＭＣＳ）のためのＤＣＩを備え、前記制限されたＭＣＳは、可能なコード化レートの制限されたセットで直交位相変調（ＱＰＳＫ）のみを備える、  装置。
【請求項２２】
前記第１のタイプのデバイスは、前記第２のタイプのデバイスと比較した場合、低下した処理能力を備える、請求項２１に記載の装置。
【請求項２３】
前記第１のデバイスは、低コストユーザ機器（ＵＥ）を備える、請求項２１に記載の装置。
【請求項２４】
ワイヤレス通信のための装置であって、 第１のタイプの第１のデバイスによるアップリンク（ＵＬ）またはダウンリンク（ＤＬ）送信のうちの少なくとも１つで使用するためのダウンリンク制御情報（ＤＣＩ）を送信するためのコンパクトＤＣＩフォーマットを生成するための手段と、ここにおいて、前記コンパクトＤＣＩフォーマットは、第２のタイプの第２のデバイスによって使用される少なくとも１つの標準ＤＣＩフォーマットに対応し、前記少なくとも１つの標準ＤＣＩフォーマットと比較した場合に低減された数のビットを備える、 前記コンパクトＤＣＩフォーマットにしたがって前記ＤＣＩを送信するための手段と を備え、前記装置は、  復号候補の制限されたセットから前記ＤＣＩを送信するためのリソースのセットを選択するための手段と、  受信側のＵＥが前記復号候補の制限されたセットに対してブラインド復号を実行することだけ必要となるように、前記リソースの選択されたセットを用いて前記ＤＣＩを送信するための手段と  をさらに備える、装置。
【請求項２５】
ワイヤレス通信のための装置であって、    第１のタイプの第１のデバイスによるアップリンク（ＵＬ）またはダウンリンク（ＤＬ）送信のうちの少なくとも１つで使用するためのダウンリンク制御情報（ＤＣＩ）を送信するためのコンパクトＤＣＩフォーマットを生成することと、ここにおいて、前記コンパクトＤＣＩフォーマットは、第２のタイプの第２のデバイスによって使用される少なくとも１つの標準ＤＣＩフォーマットに対応し、前記少なくとも１つの標準ＤＣＩフォーマットと比較した場合に低減された数のビットを備える、    前記コンパクトＤＣＩフォーマットにしたがって前記ＤＣＩを送信することと  を行うように構成された少なくとも１つのプロセッサと、ここにおいて、前記ＤＣＩは、制限された変調およびコード化スキーム（ＭＣＳ）のためのＤＣＩを備え、前記制限されたＭＣＳは、可能なコード化レートの制限されたセットで直交位相変調（ＱＰＳＫ）のみを備える、  前記少なくとも１つのプロセッサに結合されたメモリと  を備える、装置。
【請求項２６】
ワイヤレス通信のための非一時的なコンピュータ読取可能な媒体であって、前記非一時的なコンピュータ読取可能な媒体は、  第１のタイプの第１のデバイスによるアップリンク（ＵＬ）またはダウンリンク（ＤＬ）送信のうちの少なくとも１つで使用するためのダウンリンク制御情報（ＤＣＩ）を送信するためのコンパクトＤＣＩフォーマットを生成することと、ここにおいて、前記コンパクトＤＣＩフォーマットは、第２のタイプの第２のデバイスによって使用される少なくとも１つの標準ＤＣＩフォーマットに対応し、前記少なくとも１つの標準ＤＣＩフォーマットと比較した場合に低減された数のビットを備える、  前記コンパクトＤＣＩフォーマットにしたがって前記ＤＣＩを送信することと  を行うためのコードを備え、 前記ＤＣＩは、制限された変調およびコード化スキーム（ＭＣＳ）のためのＤＣＩを備え、前記制限されたＭＣＳは、可能なコード化レートの制限されたセットで直交位相変調（ＱＰＳＫ）のみを備える、 非一時的なコンピュータ読取可能な媒体。
【請求項２７】
第１のタイプの第１のデバイスによるワイヤレス通信のための方法であって、  アップリンク（ＵＬ）またはダウンリンク（ＤＬ）送信のうちの少なくとも１つで使用するためのコンパクト・ダウンリンク制御情報（ＤＣＩ）フォーマットにしたがってＤＣＩを受信することと、ここにおいて、前記コンパクトＤＣＩフォーマットは、第２のタイプの第２のデバイスによって使用される少なくとも１つの標準ＤＣＩフォーマットに対応し、前記少なくとも１つの標準ＤＣＩフォーマットと比較した場合に低減された数のビットを備える、  前記受信されたＤＣＩを処理することと  を備え、 前記ＤＣＩは、制限された変調およびコード化スキーム（ＭＣＳ）のためのＤＣＩを備え、 前記制限されたＭＣＳは、可能なコード化レートの制限されたセットで直交位相変調（ＱＰＳＫ）のみを備える、  方法。
【請求項２８】
前記第１のタイプのデバイスは、前記第２のタイプのデバイスと比較した場合、低下した処理能力を備える、請求項２７に記載の方法。
【請求項２９】
前記第１のデバイスは、低コストユーザ機器（ＵＥ）を備える、請求項２７に記載の方法。
【請求項３０】
前記ＤＣＩは、  リソース割付情報に対して割り付けられるビットを有さないＤＣＩを備え、前記ＤＣＩは、一度に一人のユーザに対して複数のリソースを割り付ける、請求項２７に記載の方法。
【請求項３１】
第１のタイプの第１のデバイスによるワイヤレス通信のための方法であって、 アップリンク（ＵＬ）またはダウンリンク（ＤＬ）送信のうちの少なくとも１つで使用するためのコンパクト・ダウンリンク制御情報（ＤＣＩ）フォーマットにしたがってＤＣＩを受信することと、ここにおいて、前記コンパクトＤＣＩフォーマットは、第２のタイプの第２のデバイスによって使用される少なくとも１つの標準ＤＣＩフォーマットに対応し、前記少なくとも１つの標準ＤＣＩフォーマットと比較した場合に低減された数のビットを備える、 前記受信されたＤＣＩを処理することと を備え、  前記ＤＣＩは、  リソース割付可能性の制限されたセットのためのＤＣＩを備える、 方法。
【請求項３２】
前記ＤＣＩは、  ハイブリッド自動再送要求（ＨＡＲＱ）プロセスの制限されたセットに対するＤＣＩを備える、請求項２７に記載の方法。
【請求項３３】
前記ＤＣＩは、ＨＡＲＱプロセスのインジケーションが欠けている、請求項３２に記載の方法。
【請求項３４】
前記ＤＣＩは、  ＤＣＩフォーマット１Ａと０とを区別するために割り付けられる１ビットを有さないＤＣＩを備え、前記ＤＣＩフォーマット１Ａおよび０は、異なるサイズを有する、請求項２７に記載の方法。
【請求項３５】
前記ＤＣＩは、  前記ＤＣＩのための減らされた長さの周期的冗長検査（ＣＲＣ）を備える、請求項２７に記載の方法。
【請求項３６】
前記減らされた長さのＣＲＣは、  第１の長さのＣＲＣを生成すること、および、前記減らされた長さのＣＲＣを生成するために前記第１の長さのＣＲＣを切り捨てることによって生成されるＣＲＣを備える、請求項３５に記載の方法。
【請求項３７】
前記ＤＣＩは、  冗長バージョン（ＲＶ）に対して割り付けられるビットを有さないＤＣＩを備える、請求項２７に記載の方法。
【請求項３８】
前記ＤＣＩは、  サウンディング基準信号（ＳＲＳ）要求に対して割り付けられるビットを有さないＤＣＩを備える、請求項２７に記載の方法。
【請求項３９】
前記ＤＣＩは、  送信機電力制御（ＴＰＣ）のための減らされたビット幅を有するＤＣＩを備える、請求項２７に記載の方法。
【請求項４０】
前記ＤＣＩは、  復調基準信号（ＤＭ−ＲＳ）のための減らされたビット幅を有するＤＣＩを備える、請求項２７に記載の方法。
【請求項４１】
第１のタイプの第１のデバイスによるワイヤレス通信のための方法であって、 アップリンク（ＵＬ）またはダウンリンク（ＤＬ）送信のうちの少なくとも１つで使用するためのコンパクト・ダウンリンク制御情報（ＤＣＩ）フォーマットにしたがってＤＣＩを受信することと、ここにおいて、前記コンパクトＤＣＩフォーマットは、第２のタイプの第２のデバイスによって使用される少なくとも１つの標準ＤＣＩフォーマットに対応し、前記少なくとも１つの標準ＤＣＩフォーマットと比較した場合に低減された数のビットを備える、 前記受信されたＤＣＩを処理することと を備え、  前記ＤＣＩは、  マルチクラスタフラッグに対して割り付けられる１ビットを有さないＤＣＩを備える、 方法。
【請求項４２】
前記ＤＣＩは、  周期的なチャネル状態情報（ＣＳＩ）がサポートされていない場合に、非周期的なＣＳＩを有するＤＣＩと、  周期的なＣＳＩがサポートされている場合に、非周期的なＣＳＩを有さないＤＣＩと  を備える、請求項２７に記載の方法。
【請求項４３】
第１のタイプの第１のデバイスによるワイヤレス通信のための方法であって、 アップリンク（ＵＬ）またはダウンリンク（ＤＬ）送信のうちの少なくとも１つで使用するためのコンパクト・ダウンリンク制御情報（ＤＣＩ）フォーマットにしたがってＤＣＩを受信することと、ここにおいて、前記コンパクトＤＣＩフォーマットは、第２のタイプの第２のデバイスによって使用される少なくとも１つの標準ＤＣＩフォーマットに対応し、前記少なくとも１つの標準ＤＣＩフォーマットと比較した場合に低減された数のビットを備える、 前記受信されたＤＣＩを処理することと を備え、  前記ＤＣＩは、  仮想リソースブロック割当に対して割り付けられる１ビットを有さないＤＣＩを備える、 方法。
【請求項４４】
第１のタイプの第１のデバイスによるワイヤレス通信のための方法であって、 アップリンク（ＵＬ）またはダウンリンク（ＤＬ）送信のうちの少なくとも１つで使用するためのコンパクト・ダウンリンク制御情報（ＤＣＩ）フォーマットにしたがってＤＣＩを受信することと、ここにおいて、前記コンパクトＤＣＩフォーマットは、第２のタイプの第２のデバイスによって使用される少なくとも１つの標準ＤＣＩフォーマットに対応し、前記少なくとも１つの標準ＤＣＩフォーマットと比較した場合に低減された数のビットを備える、 前記受信されたＤＣＩを処理することと を備え、  前記ＤＣＩは、  周波数ホッピングフラッグに対して割り付けられる１ビットを有さないＤＣＩを備える、 方法。
【請求項４５】
第１のタイプの第１のデバイスによるワイヤレス通信のための方法であって、 アップリンク（ＵＬ）またはダウンリンク（ＤＬ）送信のうちの少なくとも１つで使用するためのコンパクト・ダウンリンク制御情報（ＤＣＩ）フォーマットにしたがってＤＣＩを受信することと、ここにおいて、前記コンパクトＤＣＩフォーマットは、第２のタイプの第２のデバイスによって使用される少なくとも１つの標準ＤＣＩフォーマットに対応し、前記少なくとも１つの標準ＤＣＩフォーマットと比較した場合に低減された数のビットを備える、 前記受信されたＤＣＩを処理することと を備え、  前記ＤＣＩは、  ダウンリンク割当インデックス（ＤＡＩ）およびＵＬ割当インデックスに対して割り付けられる１ビットを有さないＤＣＩを備え、ＵＥごとに、ＤＬサブフレームとＵＬサブフレームとの間で１対１のマッピングが維持される、 方法。
【請求項４６】
第１のタイプの第１のデバイスによるワイヤレス通信のための方法であって、 アップリンク（ＵＬ）またはダウンリンク（ＤＬ）送信のうちの少なくとも１つで使用するためのコンパクト・ダウンリンク制御情報（ＤＣＩ）フォーマットにしたがってＤＣＩを受信することと、ここにおいて、前記コンパクトＤＣＩフォーマットは、第２のタイプの第２のデバイスによって使用される少なくとも１つの標準ＤＣＩフォーマットに対応し、前記少なくとも１つの標準ＤＣＩフォーマットと比較した場合に低減された数のビットを備える、 前記受信されたＤＣＩを処理することと を備え、  前記ＤＣＩは、復号候補の制限されたセットから選択されたリソースのセットを用いて送信され、  前記方法は、前記ＤＣＩを含むＰＤＣＣＨを検出するために、前記復号候補の制限されたセットに対してブラインド復号を実行することを備える、 方法。
【請求項４７】
第１のタイプの第１のデバイスによるワイヤレス通信のための装置であって、  アップリンク（ＵＬ）またはダウンリンク（ＤＬ）送信のうちの少なくとも１つで使用するためのコンパクト・ダウンリンク制御情報（ＤＣＩ）フォーマットにしたがってＤＣＩを受信するための手段と、ここにおいて、前記コンパクトＤＣＩフォーマットは、第２のタイプの第２のデバイスによって使用される少なくとも１つの標準ＤＣＩフォーマットに対応し、前記少なくとも１つの標準ＤＣＩフォーマットと比較した場合に低減された数のビットを備える、  前記受信されたＤＣＩを処理するための手段と  を備え、 前記ＤＣＩは、制限された変調およびコード化スキーム（ＭＣＳ）のためのＤＣＩを備え、前記制限されたＭＣＳは、可能なコード化レートの制限されたセットで直交位相変調（ＱＰＳＫ）のみを備える、  装置。
【請求項４８】
前記第１のタイプのデバイスは、前記第２のタイプのデバイスと比較した場合、低下した処理能力を備える、請求項４７に記載の装置。
【請求項４９】
前記第１のデバイスは、低コストユーザ機器（ＵＥ）を備える、請求項４７に記載の装置。
【請求項５０】
第１のタイプの第１のデバイスによるワイヤレス通信のための装置であって、 アップリンク（ＵＬ）またはダウンリンク（ＤＬ）送信のうちの少なくとも１つで使用するためのコンパクト・ダウンリンク制御情報（ＤＣＩ）フォーマットにしたがってＤＣＩを受信するための手段と、ここにおいて、前記コンパクトＤＣＩフォーマットは、第２のタイプの第２のデバイスによって使用される少なくとも１つの標準ＤＣＩフォーマットに対応し、前記少なくとも１つの標準ＤＣＩフォーマットと比較した場合に低減された数のビットを備える、 前記受信されたＤＣＩを処理するための手段と を備え、  前記ＤＣＩは、復号候補の制限されたセットから選択されたリソースのセットを用いて送信され、  前記装置は、前記ＤＣＩを含むＰＤＣＣＨを検出するために、前記復号候補の制限されたセットに対してブラインド復号を実行するための手段を備える、 装置。
【請求項５１】
第１のタイプの第１のデバイスによるワイヤレス通信のための装置であって、    アップリンク（ＵＬ）またはダウンリンク（ＤＬ）送信のうちの少なくとも１つで使用するためのコンパクト・ダウンリンク制御情報（ＤＣＩ）フォーマットにしたがってＤＣＩを受信することと、ここにおいて、前記コンパクトＤＣＩフォーマットは、第２のタイプの第２のデバイスによって使用される少なくとも１つの標準ＤＣＩフォーマットに対応し、前記少なくとも１つの標準ＤＣＩフォーマットと比較した場合に低減された数のビットを備える、    前記受信されたＤＣＩを処理することと  を行うように構成された少なくとも１つのプロセッサと、前記ＤＣＩは、制限された変調およびコード化スキーム（ＭＣＳ）のためのＤＣＩを備え、前記制限されたＭＣＳは、可能なコード化レートの制限されたセットで直交位相変調（ＱＰＳＫ）のみを備える、  前記少なくとも１つのプロセッサに結合されたメモリと、  を備える、装置。
【請求項５２】
第１のタイプの第１のデバイスによるワイヤレス通信のための非一時的なコンピュータ読取可能な媒体であって、前記非一時的なコンピュータ読取可能な媒体は、  アップリンク（ＵＬ）またはダウンリンク（ＤＬ）送信のうちの少なくとも１つで使用するためのコンパクト・ダウンリンク制御情報（ＤＣＩ）フォーマットにしたがってＤＣＩを受信することと、ここにおいて、前記コンパクトＤＣＩフォーマットは、第２のタイプの第２のデバイスによって使用される少なくとも１つの標準ＤＣＩフォーマットに対応し、前記少なくとも１つの標準ＤＣＩフォーマットと比較した場合に低減された数のビットを備える、  前記受信されたＤＣＩを処理することと  を行うためのコードを備え、 前記ＤＣＩは、制限された変調およびコード化スキーム（ＭＣＳ）のためのＤＣＩを備え、前記制限されたＭＣＳは、可能なコード化レートの制限されたセットで直交位相変調（ＱＰＳＫ）のみを備える、 非一時的なコンピュータ読取可能な媒体。